(57)【要約】      （修正有）【課題】より簡単に操作できながらも、刃部をより正確に位置決めでき、また、シャープな剪断を可能にする新たな剪刀を提供する。【解決手段】剪刀は、第１刃部１２および第１柄部１４を有して成る第１剪刀構造部材１０、ならびに第２刃部および第２柄部２４を有して成る第２剪刀構造部材２０から構成され、これらの構造部材は、その中間に位置する軸支部３０にて相互に回転可能に支持され、第１柄部はその末端に第１指穴１６を有し、第２柄部は、その末端に第２指穴２６を有し、第２指穴と軸支部との間に指座２８を更に有する。【選択図】図１
0003131458.tif 000002
【実用新案登録請求の範囲】
【請求項１】
第１刃部および第１柄部を有して成る第１剪刀構造部材、ならびに
第２刃部および第２柄部を有して成る第２剪刀構造部材
から構成され、
これらの構造部材は、その中間に位置する軸支部にて相互に回転可能に支持され、第１柄部はその末端に第１指穴を有し、第２柄部は、その末端に第２指穴を有する剪刀であって、
第２指穴と軸支部との間に指座を有することを特徴とする剪刀。
【請求項２】
第１指穴は、一方の手の親指用の指穴であり、第２指穴は、該一方の手の薬指または中指用の指穴であり、指座は、人差し指用の指座を有することを特徴とする請求項１に記載の剪刀。
【請求項３】
第１指穴は、一方の手の親指用の指穴であり、第２指穴は、該一方の手の薬指用の指穴であり、指座は、人差し指または中指用の指座を有することを特徴とする請求項１に記載の剪刀。
【請求項４】
第２指穴は、その外側に延在するフック部を有することを特徴とする請求項１〜３のいずれかに記載の剪刀。
【請求項５】
フック部は、屈曲部を有することを特徴とする請求項４に記載の剪刀。
【請求項６】
指座は、第２柄部に設けた凹部であることを特徴とする請求項１〜５のいずれかに記載の剪刀。
【請求項７】
指座は、第２柄部に設けた凸部であることを特徴とする請求項１〜５のいずれかに記載の剪刀。
【請求項８】
指座は、第２柄部に設けた粗面化領域であることを特徴とする請求項１〜５のいずれかに記載の剪刀。
【考案の詳細な説明】
【技術分野】
【０００１】
本考案は、剪刀、特に医療処置に際して用いる剪刀に関する。より詳しくは、本考案は、手術等の医療処置に際して、皮膚、組織、血管、器官等の部位に創傷部を形成するための切断、切開等に際して用いる剪刀に関する。以下、本明細書において、このような剪刀を単に「剪刀」とも呼ぶ。
【背景技術】
【０００２】
手術等の医療処置に際して種々の剪刀が使用されている。一般的に使用されている剪刀は、第１刃部および第１柄部を有して成る第１剪刀構造部材、ならびに第２刃部および第２柄部を有して成る第２剪刀構造部材から構成され、これらの構造部材は、その中間に位置する軸支部にて相互に回転可能に支持されている。通常、第１柄部はその末端に指穴を有し、第２柄部もその末端に指穴を有する。
【０００３】
このような剪刀を手術等の医療処置に使用する場合、第１刃部と第２刃部との間に所定部位を挟みながら剪断する。このような剪断に際して、通常、第１柄部の指穴に親指を入れ、第２柄部の指穴に薬指を入れて、広がった状態にある第１柄部と第２柄部とを相互に近づけて閉じ、皮膚等の所定部位を例えば切断する。
【０００４】
手術等の医療処置に当たり剪断すべき箇所に対して刃部の先端を正確に位置決めすることが重要であり、その後、例えば第１刃部（好ましくは剪断箇所に実質的に固定されている）に対して第２刃部を近づけるように指を動かして正確に剪断することが確保される。この場合、シャープな切断を確保することが重要である。
【０００５】
そのために、医師は、第１柄部と第２柄部とが開閉することによって規定される仮想的な平面に対して、角度を為す方向（好ましくは垂直またはそれに近い方向）にも力が作用するようにこれらの柄部を開閉している。そのような角度を為す方向に作用する力は、具体的には、第１柄部と第２柄部とを閉じるに際して、仮想的な平面に垂直またはそれに近い方向に関して、第１刃部と第２刃部とを相互に近づけるように第２柄部に力を加えることによって発生する。このような力によって、第１刃部と第２刃部とが相互に近づこうとし、それによって、第１刃部と第２刃部との間の間隙が最小限になり、シャープな剪断が確保される。
【０００６】
上述のようにシャープな剪断を確保する剪刀の操作は、通常の柄部の開閉に力を加える必要性に加えて、開閉方向に対して角度を為す力を加える必要がある。これらの力を親指と薬指とだけで加えることは、日常これらの指を動かす動作とは異なるため、しかも、上述の刃先の位置決めに対して集中力が必要なことも加わり、指、そして、腕、肩等に疲労をもたらし易い。更に、手術等の医療処置が長時間にわたる場合、疲労が蓄積して細心の注意が要求される医療処置に支障が生じることも有り得る。
【考案の開示】
【考案が解決しようとする課題】
【０００７】
上述のような剪刀の操作の現状に鑑み、種々の医療処置に際して用いられる剪刀の操作をより簡便にして、疲労を軽減することが望まれている。そこで、本考案が解決しようとする課題は、より簡単に操作できながらも、刃部をより正確に位置決めでき、また、シャープな剪断を可能にする新たな剪刀を提供することである。
【課題を解決するための手段】
【０００８】
上述の課題について考案者らが検討を重ねた結果、
第１刃部および第１柄部を有して成る第１剪刀構造部材、ならびに
第２刃部および第２柄部を有して成る第２剪刀構造部材
から構成され、
これらの構造部材は、その中間に位置する軸支部にて相互に回転可能に支持され、第１柄部はその末端に第１指穴を有し、第２柄部は、その末端に第２指穴を有する剪刀であって、
第２指穴と軸支部との間に指座を有することを特徴とする剪刀
によって上述の課題を解決できることが見出された。
【０００９】
上記本考案の特に好ましい態様では、本考案の剪刀は、
第１刃部および第１柄部を有して成る第１剪刀構造部材、ならびに
第２刃部および第２柄部を有して成る第２剪刀構造部材
から構成され、
これらの構造部材は、その中間に位置する軸支部にて相互に回転可能に支持され、第１柄部は、その末端に親指用の第１指穴を有し、第２柄部は、その末端に薬指または中指用の第２指穴を有する剪刀であって、
第２指穴と軸支部との間に人差し指用の指座を有する。
【考案の効果】
【００１０】
本考案の剪刀を操作するに際して、一方の手の親指と薬指との間のいずれかの指、一般的には、人差し指を指座にあてがい、しっかりと位置決めできる。その結果、剪刀の開閉に際して第１柄部および第２柄部によって規定される仮想的な平面に対して角度を為した方向に、好ましくは垂直またはそれに近い方向に作用する力を、第２指穴に入れた指によって加えてシャープに剪断することが容易になると共に、指座にあてがう指が加える力を調節することによって、刃部、特にその先端部を意図する剪断部位に対して位置決めすることが容易になる。
【００１１】
このような本考案の効果は、指座を意図的に設けて人差し指を固定することによって、人の指の運動機能・構造から固有的に生じるものである。指座を意図的に設けない場合、人差し指をしっかりと位置決めできない。その結果、剪刀を操作している間に、柄部の表面で人差し指が、意図せずして移動する、あるいはずれる可能性があるので、人差し指の移動を防止することを意図して、人差し指によって柄部を押圧するように余分な力を加える必要がある。この余分な押圧は指の疲労をもたらし、ひいては腕、肩等の疲労に到るおことがある。本考案のように指座を設けると、そのような余分な力を加える必要がないので、そのような疲労を明らかに軽減することができる。
【考案を実施するための形態】
【００１２】
本考案に係る剪刀の一例を図１に模式的に斜視図にて示す。本明細書において剪刀を説明するに際して種々の方向を示す用語を使用するが、これらの用語は、図１に示す状態を基準として、また、剪刀を使用する場合の使用者を基準として用いるものとする。また、上（または下）の方向に言及する場合は、図１の紙面を基準として手前側の向きを上方向とし、逆の方向を下方向とする。尚、図２（ｂ）に示す平面図でも、そのような上下方向を矢印にて示している。尚、図１は斜視図であるが、図１の上下方向と図２（ｂ）で示す上下方向と実質的には差が無いと考えても、本考案の説明・理解に際して、問題はない。
【００１３】
本考案の剪刀１は、第１剪刀構造部材１０および第２剪刀構造部材２０により構成される。第１剪刀構造部材１０は先端側（または遠位側、即ち、使用者から遠い側）に第１刃部１２を有し、その手元側（または近位側、即ち、使用者から近い側）に第１柄部１４を有する。第１柄部１４は、その近位側の端部に親指用の第１指穴１６を有する。第２剪刀構造部材２０は先端側（または遠位側）に第２刃部２２を有し、その手元側（または近位側）に第２柄部２４を有する。第２柄部２４は、その近位側の端部に第２指穴２６を有する。
【００１４】
これらの剪刀構造部材１０および２０は、それぞれ刃部と柄部との間に位置する軸支部としての支点３０にて軸支される。軸支に関しては、いずれの適当な態様でこれらの構造部材が軸支されていてもよい。例えばネジ留め、リベット留め等（図示した態様、但し、図１および後述の図３ではネジ等３０を省略）であってもよい。別の態様では、構造部材の一方が軸ピンを有し、他方の構造部材が、そのような軸ピンを受容できる、一部分が外に開いた穴部を有してよい。
【００１５】
図示するように、第２柄部２４は、第２指穴２６と支点との間に指座２８を有する。尚、第２指穴２６には、一般的には薬指を入れる。その場合、指座２８には、一般的に人差し指の指先部分（特にその腹部分）をあてがう。そのようにあてがうと、その状態で指先部分を位置決めできる。使用者に応じて、中指の指先部分をあてがい、その状態で指先部分を位置決めしてもよい。本考案の剪刀の別の使用方法では、使用者に応じて、第２指穴２６に中指を入れる。その場合、指座２８には、人差し指の指先部分をあてがい、その状態で指先部分を位置決めできる。このように、指座は、所定の指の指先部分（より詳細には、その一部分）をあてがう箇所であり、「指当て部」と呼ぶことができる。
【００１６】
従って、本考案の剪刀は、薬指または中指を入れる第２指穴を有し、前者を入れる場合、指座には人差し指または中指をあてがうことができ、後者を入れる場合、指座には人差し指をあてがうことができる。
【００１７】
上述の指座は、第２柄部２４の表面、特にその上側および／または外側表面に指先部分をあてがった状態を容易に維持できるように構成されていれば、その形態については特に限定されるものではない。指座２８の位置は、第１指穴に親指を入れ、第２指穴に薬指または人差し指を入れた場合に、所定の指の指先部分が平均的に位置する、第２柄部の箇所に設けるのが好ましい。
【００１８】
好ましい態様の一例では、図１に示すように、指座は、第２柄部２４の上側表面から外側表面にわたって延在する凹部２８であってよい。この凹部は、あてがう指先部分の形状に沿うような曲面を有するものが好ましい。
【００１９】
別の態様では、指座２８は、所定の指先部分が位置する箇所付近に設けた凹凸領域であってよい。この凹凸領域は、好ましい形態では微細な凹凸で形成され、第２柄部の当該箇所にいわゆるザラザラとした感触の摩擦感を付与する領域（いわゆる粗面化領域）であってよい。上述の凹部を、粗面化した面で構成するのが特に好ましい。
【００２０】
更に別の形態では、指座２８は、第２柄部２４の表面に設けた凸部であってよい。この場合、凸部の上に指先部分を載せることができるか、あるいは凸部の遠位側に所定の指先部分を引っ掛けることができるのが好ましい。同様に、凸部に、特にその遠位側が粗面化されているのが特に好ましい。
【００２１】
上述のように指座２８を第２柄部２４に設けることによって、所定の指（即ち、人差し指または中指）の指先部分を指座２８にしっかりと位置決めでき、その結果、意図する剪断箇所に対する、剪刀の刃部の先端部の位置決めが容易になると共に、剪断に際して刃部１２および２２を閉じる時に、第１柄部１４および第２柄部２４によって規定される仮想的な平面に対して角度を為す方向に（即ち、図１の紙面に対応する仮想平面に対して上向きに）作用する力を第２指穴に入れた指によって第２柄部２４に加えるのが容易になり、指等の疲れを軽減することができる。
【００２２】
本考案の剪刀の特に好ましい態様では、第２指穴２６は、それからその外側に向かって延在するフック部４０を有する。このフック部４０には、小指を引っ掛けることができ、その小指によって上向きに（即ち、図１の紙面に対して上向きに）力を加えることができる。第１柄部１４および第２柄部２４によって規定される仮想的な平面に対して角度をなす方向に、好ましくは上向きに作用する力を第２指穴に入れた指によって加えるに際して、フック部４０に引っ掛けた小指によって上向きに力を加えると、第２指穴に入れた指が加える力を減らすことができ、その指の疲労を軽減できる。当業者であれば、容易に理解できるように、仮想的な平面に対して角度をなす方向に力を中指または人差し指で加えるよりも、小指をフック部に引っ掛けて上向きに力を加える方が遙かに容易である。
【００２３】
このように小指によって力を加えるに際して、指座２８に人差し指または中指をあてがうことによって指を第２柄部に位置決めしておくと、第２指穴２６に入れた指によって上向きに力を加える場合と同様に、小指によって上向きの力を加えるのが容易になる。このフック部４０は、図示するように先端部が下向きに延在して屈曲部４２を規定するのが特に好ましく、小指の引っ掛かり状態を容易に確保できる利点がある。下向きの屈曲部が存在せずに単に外側に延在する場合では、フック部の長さが十分でないと、引っ掛けた小指がフック部４０の先端から外れる可能性がある。
【００２４】
本考案の好ましい態様では、剪刀の指穴は、指を入れる方向に沿って延在する壁部分４４および４６によってそれぞれ規定されている。この壁部分は、指を入れる方向に沿って、即ち、上下方向に沿って、実質的な長さ（あるいは壁部分の高さ）を有するのが好ましく、従って、壁部分は、仮想的な平面に対して垂直またはそれから若干斜めに延びる円錐台状の空間部分を規定する。これに対して、医療処置用に従来から一般的に使用されている剪刀において、指穴を規定する壁の高さは、柄部を構成する、断面円形の金属線材の直径程度に過ぎない。その結果、指穴に指を入れた場合、本考案の剪刀では、指穴を規定する壁部分と指とが面で接触することになるのに対して、従来の剪刀では、線材と指とが線接触に近い状態で接触するので、指が痛くなり易い。
【００２５】
本考案の剪刀において、上述の壁部分は、指穴に所定の指の指を入れた場合、その指の周囲に若干の間隙を形成できるようになっているのが好ましい。指穴に指を入れる時、そして、そこから抜く時の指の向きを想定して、壁部分によって形成される指穴が延在するのがより好ましい。その結果、図１に示すように、指穴は、仮想的な平面に対して実質的に垂直ではなく、垂直から若干傾いた方向に沿って延在する。
【００２６】
特に好ましい態様では、図１に示すように、壁部分の高さが、その全周にわたって一定でなく、第１指穴１６を規定する壁部分４４の最も高い部位（即ち、上方縁部）５０が第１柄部１４の端部より下方に位置し（即ち、壁部分の一部分が端部より下向きに突出し）、これに代えて、あるいはこれに加えて、第２指穴２６を規定する壁部分の最も低い部位（即ち、下方縁部）５２が第２柄部２４の端部より上方に位置し（即ち、壁部分の一部分が端部より上向きに突出し）、剪刀構造部材の端部が形成されている。
【００２７】
このように端部を形成することによって、剪刀１をバットのような平坦面上に置いた場合、例えば、図１に示すように、一方の壁部分４４と平坦面との間には隙間が形成され、他方の壁部分４６の縁部５２が平坦面と接触する（勿論、剪刀の刃部の先端部も平坦面と接触する）。その結果、指穴１６に指を入れて平坦面から剪刀を取り上げるのが容易になる。剪刀が図１に示す状態から裏返しになった場合では、指穴２６に指を入れて平坦面から剪刀を取り上げるのが容易になる。尚、フック部４０が、図１に示すように屈曲部４２を有する場合、屈曲部の端部が平坦面に接触するようなサイズにしておくと、壁部分４６の下縁と平坦面との間に間隙を形成でき、剪刀の取り上げを容易にできる。
【００２８】
図２に、図１に示した剪刀の上面図、右側面図および底面図を示す。理解できるように、図１に示した剪刀は、刃部が下向きに湾曲したタイプのものである。尚、刃部は、いずれの適当な形態であってもよく、例えば、湾曲せずにまっすぐに延在しているものであってもよい。また、湾曲したフック部４０によって、平坦面と指穴との間に間隙が形成されることが分かる。
【００２９】
図３に、意図する箇所に創傷を形成するために本考案の剪刀に指を入れた状態を模式的に斜視図にて示す。図３では、右手の親指６０を第１指穴１６に入れ、右手の薬指６２を第２指穴２６に入れ、右手の人差し指６４を指座２８に位置決めした状態を模式的に示す。右手の小指６６は、フック部４０に引っ掛け、その先部分を若干近位側に曲げることによって、フック部の屈曲部４２によって小指がフック部から外れないようにしている。
【００３０】
尚、上述のように、図３に示した態様において、人差し指６４の代わりに中指６８を指座に載せてもよく、更に別の場合では、第２指穴２６に（薬指６２の代わりに）中指６８を入れてもよく、この場合、小指６６に代えて、薬指６２をフック部４０に引っ掛けてもよい。
【００３１】
図３を参照して人の指の本来的な可動範囲および可動容易性を考慮すると、指座２８に所定の指、特に人差し指をしっかりと位置決めすることによって、刃部の先端の位置決め、および柄部によって上向きに力を加えることが容易になることが理解できる。更に、フック部４０によっても上向きの力を加える場合にも、そのようなしっかりとした位置決めによって、そのように力を加えることを容易になることが分かる。
【００３２】
本考案の剪刀に関して、上述の説明以外の事項については、本考案による課題の解決に悪影響を及ぼさない限り、これまでに使用されている剪刀、特に医療処置に用いられる剪刀の特徴を適用できる。例えば、剪刀を構成する材料については、例えばステンレススチールのような金属材料を使用できる。また、必要に応じて、セラミック材料を使用してもよい。
【図面の簡単な説明】
【００３３】
【図１】図１は、本考案の剪刀の一例を斜視図にて模式的に示す。
【図２】図２は、図１に示した剪刀の模式的上面図（ａ）、模式的右側面図（ｂ）および模式的底面図（ｃ）である。
【図３】図３は、図１に示した剪刀に指を入れて操作する様子を模式的に示す斜視図である。
【符号の説明】
【００３４】
１…剪刀、１０…第１剪刀構造部材、１２…第１刃部、１４…第１柄部、
１６…第１指穴、２０…第２剪刀構造部材、２２…第２刃部、２４…第２柄部、
２６…第２指穴、２８…指座、３０…支点、４０…フック部、４２…湾曲部、
４４，４６…壁部分、５０…上方縁部、５２…下方縁部、６０…親指、６２…薬指、
６４…人差し指、６６…小指、６８…中指。
【図１】
0003131458.tif 000003
【図２】
0003131458.tif 000004
【図３】
0003131458.tif 000005